(57)【要約】  本開示の実施例は、サービスデータ適応プロトコルＳＤＡＰエンティティの設定方法及び機器を開示する。該方法において、設定予定のＤＲＢの識別子と、設定予定のＤＲＢに対応するＳＤＡＰエンティティ識別子とを含む設定情報を受信することと、上記設定情報に基づいて、設定予定のＤＲＢと、ＳＤＡＰエンティティ識別子に対応するターゲットＳＤＡＰエンティティを設定することとを含む。
2021520133.tif 000002
【特許請求の範囲】
【請求項１】
端末機器に応用されるサービスデータ適応プロトコルＳＤＡＰエンティティの設定方法において、
設定予定のデータ無線ベアラＤＲＢの識別子と、前記設定予定のＤＲＢに対応するＳＤＡＰエンティティ識別子とを含む設定情報を受信することと、
前記設定情報に基づいて、前記設定予定のＤＲＢと、前記ＳＤＡＰエンティティ識別子に対応するターゲットＳＤＡＰエンティティを設定することとを含む、ＳＤＡＰエンティティの設定方法。
【請求項２】
前記設定情報は、前記設定予定のＤＲＢの確立を指示し、
ここで、前記設定情報に基づいて、前記設定予定のＤＲＢと、前記ＳＤＡＰエンティティ識別子に対応するターゲットＳＤＡＰエンティティを設定することは、
前記ターゲットＳＤＡＰエンティティが確立されていない場合、前記設定予定のＤＲＢを確立し、前記ターゲットＳＤＡＰエンティティを確立することを含む、請求項１に記載の方法。
【請求項３】
前記設定情報は、前記設定予定のＤＲＢに対応する第１ＳＤＡＰエンティティを前記ターゲットＳＤＡＰエンティティに修正することを指示し、
ここで、前記設定情報に基づいて、前記設定予定のＤＲＢと、前記ＳＤＡＰエンティティ識別子に対応するターゲットＳＤＡＰエンティティを設定することは、
前記ターゲットＳＤＡＰエンティティが確立されていない場合、前記ターゲットＳＤＡＰエンティティを確立し、前記設定予定のＤＲＢと前記ターゲットＳＤＡＰエンティティとの対応関係を確立することを含む、請求項１に記載の方法。
【請求項４】
前記設定予定のＤＲＢは、第１ＳＤＡＰエンティティに対応する全てのＤＲＢである場合、
前記第１ＳＤＡＰエンティティを削除することを更に含む、請求項３に記載の方法。
【請求項５】
前記設定情報は、前記設定予定のＤＲＢの削除を指示し、
ここで、前記設定情報に基づいて、前記設定予定のＤＲＢと、前記ＳＤＡＰエンティティ識別子に対応するターゲットＳＤＡＰエンティティを設定することは、
前記ターゲットＳＤＡＰエンティティが確立されており、且つ前記設定予定のＤＲＢが前記ターゲットＳＤＡＰエンティティに対応する全てのＤＲＢである場合、前記設定予定のＤＲＢ及び前記ターゲットＳＤＡＰエンティティを削除することを含む、請求項１に記載の方法。
【請求項６】
前記設定情報において、１つの設定予定のＤＲＢが１つのＳＤＡＰエンティティに対応する、請求項１〜５のいずれか一項に記載の方法。
【請求項７】
前記設定情報は、前記ＳＤＡＰエンティティ識別子に対応するプロトコルデータユニットＰＤＵセッション識別子を更に含み、
ここで、前記設定予定のＤＲＢ及び前記ターゲットＳＤＡＰエンティティを削除した後に、
前記ターゲットＳＤＡＰエンティティと前記ＰＤＵセッション識別子に対応するターゲットＰＤＵセッションとの対応関係を削除することを更に含む、請求項５に記載の方法。
【請求項８】
非アクセス層ＮＡＳエンティティに対し、前記ターゲットＳＤＡＰエンティティが削除されたことを前記ＮＡＳエンティティに通知するための削除通知メッセージを送信することを更に含む、請求項７に記載の方法。
【請求項９】
前記削除通知メッセージは、前記ターゲットＳＤＡＰエンティティのＳＤＡＰエンティティ識別子と、前記ターゲットＳＤＡＰエンティティに対応するターゲットＰＤＵセッションのＰＤＵセッション識別子と、前記ターゲットＳＤＡＰエンティティに対応するＤＲＢ識別子の少なくとも１つを含む、請求項８に記載の方法。
【請求項１０】
ネットワーク側機器に応用されるサービスデータ適応プロトコルＳＤＡＰエンティティの設定方法において、
設定予定のデータ無線ベアラＤＲＢの識別子と、前記設定予定のＤＲＢに対応するＳＤＡＰエンティティ識別子とを含む設定情報を送信することを含み、
ここで、前記設定情報は、前記設定予定のＤＲＢ及び前記ＳＤＡＰエンティティ識別子に対応するターゲットＳＤＡＰエンティティを端末機器が前記設定情報に基づいて設定するために用いられる、ＳＤＡＰエンティティの設定方法。
【請求項１１】
前記設定情報は、前記設定予定のＤＲＢの確立を指示し、
ここで、前記設定情報は、更に、前記ターゲットＳＤＡＰエンティティが確立されていない場合、端末機器が前記設定情報に基づいて前記設定予定のＤＲＢを確立し、前記ターゲットＳＤＡＰエンティティを確立することに用いられる、請求項１０に記載の方法。
【請求項１２】
前記設定情報は、前記設定予定のＤＲＢに対応する第１ＳＤＡＰエンティティを前記ターゲットＳＤＡＰエンティティに修正することを指示し、
ここで、前記設定情報は、更に、前記ターゲットＳＤＡＰエンティティが確立されていない場合、端末機器が前記設定情報に基づいて前記ターゲットＳＤＡＰエンティティを確立し、前記設定予定のＤＲＢと前記ターゲットＳＤＡＰエンティティとの対応関係を確立することに用いられる、請求項１０に記載の方法。
【請求項１３】
前記設定予定のＤＲＢは、第１ＳＤＡＰエンティティに対応する全てのＤＲＢである場合、
前記設定情報は、更に、端末機器が前記設定情報に基づいて前記第１ＳＤＡＰエンティティを削除することに用いられる、請求項１２に記載の方法。
【請求項１４】
前記設定情報は、前記設定予定のＤＲＢの削除を指示し、
ここで、前記設定情報は、更に、前記ターゲットＳＤＡＰエンティティが確立されており、且つ前記設定予定のＤＲＢが前記ターゲットＳＤＡＰエンティティに対応する全てのＤＲＢである場合、端末機器が前記設定情報に基づいて前記設定予定のＤＲＢ及び前記ターゲットＳＤＡＰエンティティを削除することに用いられる、請求項１０に記載の方法。
【請求項１５】
前記設定情報において、１つの設定予定のＤＲＢが１つのＳＤＡＰエンティティに対応する、請求項１０〜１４のいずれか一項に記載の方法。
【請求項１６】
前記設定情報は、前記ＳＤＡＰエンティティ識別子に対応するプロトコルデータユニットＰＤＵセッション識別子を更に含み、
前記設定情報は、更に、端末機器が前記設定情報に基づいて前記ターゲットＳＤＡＰエンティティと前記ＰＤＵセッション識別子に対応するターゲットＰＤＵセッションとの対応関係を削除することに用いられる、請求項１２に記載の方法。
【請求項１７】
設定予定のデータ無線ベアラＤＲＢの識別子と、前記設定予定のＤＲＢに対応するＳＤＡＰエンティティ識別子とを含む設定情報を受信する受信モジュールと、
前記設定情報に基づいて、前記設定予定のＤＲＢと、前記ＳＤＡＰエンティティ識別子に対応するターゲットＳＤＡＰエンティティを設定する設定モジュールとを含む、端末機器。
【請求項１８】
前記設定情報は、前記設定予定のＤＲＢの確立を指示し、
ここで、前記設定モジュールは、具体的には、
前記ターゲットＳＤＡＰエンティティが確立されていない場合、前記設定予定のＤＲＢを確立し、前記ターゲットＳＤＡＰエンティティを確立する、請求項１７に記載の機器。
【請求項１９】
前記設定情報は、前記設定予定のＤＲＢに対応する第１ＳＤＡＰエンティティを前記ターゲットＳＤＡＰエンティティに修正することを指示し、
ここで、前記設定モジュールは、具体的には、
前記ターゲットＳＤＡＰエンティティが確立されていない場合、前記ターゲットＳＤＡＰエンティティを確立し、前記設定予定のＤＲＢと前記ターゲットＳＤＡＰエンティティとの対応関係を確立する、請求項１７に記載の機器。
【請求項２０】
前記設定予定のＤＲＢは、第１ＳＤＡＰエンティティに対応する全てのＤＲＢである場合、
前記第１ＳＤＡＰエンティティを削除する第１削除モジュールを更に含む、請求項１９に記載の機器。
【請求項２１】
前記設定情報は、前記設定予定のＤＲＢの削除を指示し、
ここで、前記設定モジュールは、具体的には、
前記ターゲットＳＤＡＰエンティティが確立されており、且つ前記設定予定のＤＲＢが前記ターゲットＳＤＡＰエンティティに対応する全てのＤＲＢである場合、前記設定予定のＤＲＢ及び前記ターゲットＳＤＡＰエンティティを削除する、請求項１７に記載の機器。
【請求項２２】
前記設定情報において、１つの設定予定のＤＲＢが１つのＳＤＡＰエンティティに対応する、請求項１７〜２１のいずれか一項に記載の機器。
【請求項２３】
前記設定情報は、前記ＳＤＡＰエンティティ識別子に対応するプロトコルデータユニットＰＤＵセッション識別子を更に含み、
ここで、前記ターゲットＳＤＡＰエンティティと前記ＰＤＵセッション識別子に対応するターゲットＰＤＵセッションとの対応関係を削除する第２削除モジュールを更に含む、請求項２１に記載の機器。
【請求項２４】
非アクセス層ＮＡＳエンティティに対し、前記ターゲットＳＤＡＰエンティティが削除されたことを前記ＮＡＳエンティティに通知するための削除通知メッセージを送信する送信モジュールを更に含む、請求項２３に記載の機器。
【請求項２５】
前記削除通知メッセージは、前記ターゲットＳＤＡＰエンティティのＳＤＡＰエンティティ識別子、前記ターゲットＳＤＡＰエンティティに対応するターゲットＰＤＵセッションのＰＤＵセッション識別子と、前記ターゲットＳＤＡＰエンティティに対応するＤＲＢ識別子の少なくとも１つを含む、請求項２４に記載の機器。
【請求項２６】
設定予定のデータ無線ベアラＤＲＢの識別子と、前記設定予定のＤＲＢに対応するＳＤＡＰエンティティ識別子とを含む設定情報を送信する送信モジュールを含み、
ここで、前記設定情報は、前記設定予定のＤＲＢ及び前記ＳＤＡＰエンティティ識別子に対応するターゲットＳＤＡＰエンティティを端末機器が前記設定情報に基づいて設定するために用いられる、ネットワーク側機器。
【請求項２７】
前記設定情報は、前記設定予定のＤＲＢの確立を指示し、
ここで、前記設定情報は、更に、前記ターゲットＳＤＡＰエンティティが確立されていない場合、端末機器が前記設定情報に基づいて前記設定予定のＤＲＢを確立し、前記ターゲットＳＤＡＰエンティティを確立することに用いられる、請求項２６に記載の機器。
【請求項２８】
前記設定情報は、前記設定予定のＤＲＢに対応する第１ＳＤＡＰエンティティを前記ターゲットＳＤＡＰエンティティに修正することを指示し、
ここで、前記設定情報は、更に、前記ターゲットＳＤＡＰエンティティが確立されていない場合、端末機器が前記設定情報に基づいて前記ターゲットＳＤＡＰエンティティを確立し、前記設定予定のＤＲＢと前記ターゲットＳＤＡＰエンティティとの対応関係を確立することに用いられる、請求項２６に記載の機器。
【請求項２９】
前記設定予定のＤＲＢは、第１ＳＤＡＰエンティティに対応する全てのＤＲＢである場合、
前記設定情報は、更に、端末機器が前記設定情報に基づいて前記第１ＳＤＡＰエンティティを削除することに用いられる、請求項２８に記載の機器。
【請求項３０】
前記設定情報は、前記設定予定のＤＲＢの削除を指示し、
ここで、前記設定情報は、更に、前記ターゲットＳＤＡＰエンティティが確立されており、且つ前記設定予定のＤＲＢが前記ターゲットＳＤＡＰエンティティに対応する全てのＤＲＢである場合、端末機器が前記設定情報に基づいて前記設定予定のＤＲＢ及び前記ターゲットＳＤＡＰエンティティを削除することに用いられる、請求項２６に記載の機器。
【請求項３１】
前記設定情報において、１つの設定予定のＤＲＢが１つのＳＤＡＰエンティティに対応する、請求項２６〜３０のいずれか一項に記載の機器。
【請求項３２】
前記設定情報は、前記ＳＤＡＰエンティティ識別子に対応するプロトコルデータユニットＰＤＵセッション識別子を更に含み、
前記設定情報は、更に、端末機器が前記設定情報に基づいて前記ターゲットＳＤＡＰエンティティと前記ＰＤＵセッション識別子に対応するターゲットＰＤＵセッションとの対応関係を削除することに用いられる、請求項２８に記載の機器。
【請求項３３】
メモリと、プロセッサと、前記メモリに格納されて前記プロセッサで動作可能なコンピュータプログラムを含む端末機器であって、
前記コンピュータプログラムが前記プロセッサによって実行されると、請求項１〜９のいずれか一項に記載のサービスデータ適応プロトコルＳＤＡＰエンティティの設定方法のステップが実現される、端末機器。
【請求項３４】
メモリと、プロセッサと、前記メモリに格納されて前記プロセッサで動作可能なコンピュータプログラムを含むネットワーク側機器であって、
前記コンピュータプログラムが前記プロセッサによって実行されると、請求項１０〜１６のいずれか一項に記載のサービスデータ適応プロトコルＳＤＡＰエンティティの設定方法のステップが実現される、ネットワーク側機器。
【請求項３５】
コンピュータプログラムが格納されているコンピュータ読み取り可能な記憶媒体であって、
前記コンピュータプログラムがプロセッサによって実行されると、請求項１〜９のいずれか一項に記載のサービスデータ適応プロトコルＳＤＡＰエンティティの設定方法のステップが実現される、コンピュータ読み取り可能な記憶媒体。
【請求項３６】
コンピュータプログラムが格納されているコンピュータ読み取り可能な記憶媒体であって、
前記コンピュータプログラムがプロセッサによって実行されると、請求項１０〜１６のいずれか一項に記載のサービスデータ適応プロトコルＳＤＡＰエンティティの設定方法のステップが実現される、コンピュータ読み取り可能な記憶媒体。
【発明の詳細な説明】
【技術分野】
【０００１】
本願は、２０１８年４月２日に中国特許庁に提出された中国特許出願２０１８１０２８４８２１．０の優先権を主張し、その全ての内容が援用によりここに取り込まれる。
本開示は、通信技術分野に係り、特にサービスデータ適応プロトコルＳＤＡＰエンティティの設定方法及び機器に係る。
【背景技術】
【０００２】
通信技術の発展に伴い、５Ｇ（ｆｉｆｔｈ−ｇｅｎｅｒａｔｉｏｎ）が登場している。更に、５Ｇシステムでは、ＱｏＳ（Ｑｕａｌｉｔｙ  ｏｆ  Ｓｅｒｖｉｃｅ）のネットワーク側指示メカニズムが導入されているため、上りデータ及び下りデータの送信時に端末機器のＩＰ（Ｉｎｔｅｒｎｅｔ  Ｐｒｏｔｏｃｏｌ）データフローのＱｏｓの指示情報（例えばＱｏＳｆｌｏｗ  ＩＤ）を付加する必要があり、既存のＰＤＣＰ（Ｐａｃｋｅｔ  Ｄａｔａ  Ｃｏｎｖｅｒｇｅｎｃｅ  Ｐｒｏｔｏｃｏｌ）層の上に、新規プロトコル層であるＳＤＡＰ（Ｓｅｒｖｉｃｅ  Ｄａｔａ  Ａｄａｐｔａｔｉｏｎ  Ｐｒｏｔｏｃｏｌ）層が導入されている。
【０００３】
また、１つのＳＤＡＰエンティティは、１つの上位層のＰＤＵ（Ｐａｃｋｅｔ  Ｄａｔａ  Ｕｎｉｔ）  Ｓｅｓｓｉｏｎに対応し、１つのＳＤＡＰエンティティは、複数のデータフローを複数の異なるＤＲＢ（Ｄａｔａ  Ｒａｄｉｏ  Ｂｅａｒｅｒ）に送信することができ、ここで１つのＤＲＢは、１つのＰＤＣＰエンティティに対応する。
【０００４】
従来技術では、端末機器のＳＤＡＰエンティティを設定する場合、ネットワーク側機器から端末機器に設定コマンドを送信する方式で行われるのが一般的であったが、設定シグナリングには一定のオーバーヘッドが必要であり、ＳＤＡＰエンティティの設定を行う際に、オーバーヘッドが大きくなる。
【発明の概要】
【発明が解決しようとする課題】
【０００５】
本開示の実施例の目的は、ＳＤＡＰエンティティ設定のオーバーヘッドを減少するために、サービスデータ適応プロトコルＳＤＡＰエンティティの設定方法を提供することである。
【課題を解決するための手段】
【０００６】
第１態様として、本開示の実施例は、端末機器に応用されるサービスデータ適応プロトコルＳＤＡＰエンティティの設定方法を提供し、該方法において、設定予定のデータ無線ベアラＤＲＢの識別子と、前記設定予定のＤＲＢに対応するＳＤＡＰエンティティ識別子とを含む設定情報を受信することと、前記設定情報に基づいて、前記設定予定のＤＲＢと、前記ＳＤＡＰエンティティ識別子に対応するターゲットＳＤＡＰエンティティを設定することとを含む。
【０００７】
第２態様として、本開示の実施例は、ネットワーク側機器に応用されるサービスデータ適応プロトコルＳＤＡＰエンティティの設定方法を更に提供し、該方法において、設定予定のデータ無線ベアラＤＲＢの識別子と、前記設定予定のＤＲＢに対応するＳＤＡＰエンティティ識別子とを含む設定情報を送信することを含み、ここで、前記設定情報は、前記設定予定のＤＲＢ及び前記ＳＤＡＰエンティティ識別子に対応するターゲットＳＤＡＰエンティティを端末機器が前記設定情報に基づいて設定するために用いられる。
【０００８】
第３態様として、本開示の実施例は、設定予定のデータ無線ベアラＤＲＢの識別子と、前記設定予定のＤＲＢに対応するＳＤＡＰエンティティ識別子とを含む設定情報を受信する受信モジュールと、前記設定情報に基づいて、前記設定予定のＤＲＢと、前記ＳＤＡＰエンティティ識別子に対応するターゲットＳＤＡＰエンティティを設定する設定モジュールとを含む端末機器を更に提供する。
【０００９】
第４態様として、本開示の実施例は、設定予定のデータ無線ベアラＤＲＢの識別子と、前記設定予定のＤＲＢに対応するＳＤＡＰエンティティ識別子とを含む設定情報を送信する送信モジュールを含むネットワーク側機器を更に提供し、ここで、前記設定情報は、前記設定予定のＤＲＢ及び前記ＳＤＡＰエンティティ識別子に対応するターゲットＳＤＡＰエンティティを端末機器が前記設定情報に基づいて設定するために用いられる。
【００１０】
第５態様として、本開示の実施例は、メモリと、プロセッサと、前記メモリに格納されて前記プロセッサで動作可能なコンピュータプログラムを含む端末機器を更に提供し、前記コンピュータプログラムが前記プロセッサによって実行されると、上記第１態様に記載のサービスデータ適応プロトコルＳＤＡＰエンティティの設定方法のステップが実現される。
【００１１】
第６態様として、本開示の実施例は、メモリと、プロセッサと、前記メモリに格納されて前記プロセッサで動作可能なコンピュータプログラムを含むネットワーク側機器を更に提供し、前記コンピュータプログラムが前記プロセッサによって実行されると、上記第２態様のサービスデータ適応プロトコルＳＤＡＰエンティティの設定方法のステップが実現される。
【００１２】
第７態様として、本開示の実施例は、コンピュータプログラムが格納されているコンピュータ読み取り可能な記憶媒体を更に提供し、前記コンピュータプログラムがプロセッサによって実行されると、上記第１態様に記載のサービスデータ適応プロトコルＳＤＡＰエンティティの設定方法のステップが実現される。
【００１３】
第８態様として、本開示の実施例は、コンピュータプログラムが格納されているコンピュータ読み取り可能な記憶媒体を更に提供し、前記コンピュータプログラムがプロセッサによって実行されると、上記第２態様に記載のサービスデータ適応プロトコルＳＤＡＰエンティティの設定方法のステップが実現される。
【発明の効果】
【００１４】
本開示の実施例に係るサービスデータ適応プロトコルＳＤＡＰエンティティの設定方法及び端末によって、ＳＤＡＰエンティティ識別子に対応するターゲットＳＤＡＰエンティティの設定がＤＲＢの設定によって達成される。即ち、本開示の実施例において、ＳＤＡＰエンティティを暗黙的に設定することが実現され、これにより、ＳＤＡＰエンティティを設定する設定シグナリングの再送信が回避され、ＳＤＡＰエンティティを設定する設定シグナリングのオーバーヘッドが節約され、ＳＤＡＰエンティティの設定のオーバーヘッドが低減される。
【図面の簡単な説明】
【００１５】
ここで説明する図面は、本開示を更に理解するために提供され、本開示の一部を構成する。本開示の例示的な実施例及びその説明は、本開示を解釈するために用いられるものであり、本開示に対する不当な限定を構成しない。
【００１６】
【図１】本開示の１つの実施例に係るサービスデータ適応プロトコルＳＤＡＰエンティティの設定方法の第１方法のフローチャートである。
【図２】本開示の１つの実施例に係るサービスデータ適応プロトコルＳＤＡＰエンティティの設定方法におけるＤＲＢとＳＤＡＰエンティティの対応関係の概略図である。
【図３】本開示の１つの実施例に係るサービスデータ適応プロトコルＳＤＡＰエンティティの設定方法におけるＳＤＡＰエンティティ、ＰＤＵセッション及びＰＤＣＰエンティティの対応関係の概略図である。
【図４】本開示の１つの実施例に係るサービスデータ適応プロトコルＳＤＡＰエンティティの設定方法の第２方法のフローチャートである。
【図５】本開示の１つの実施例に係るサービスデータ適応プロトコルＳＤＡＰエンティティの設定方法の第３方法のフローチャートである。
【図６】本開示の１つの実施例に係る端末機器のモジュール構成の概略図である。
【図７】本開示の１つの実施例に係るネットワーク側機器のモジュール構成の概略図である。
【図８】本開示の１つの実施例に係る端末機器の構造の概略図である。
【図９】本開示の１つの実施例に係るネットワーク側機器の構造の概略図である。
【発明を実施するための形態】
【００１７】
以下、本願の実施例の図面とともに、本願の実施例の技術手段を明確且つ完全的に記載する。明らかに、記載する実施例は、本願の実施例の一部であり、全てではない。本願の実施例に基づき、当業者が創造性のある作業をしなくても為しえる全ての他の実施例は、いずれも本願の保護範囲に属するものである。明細書及び特許請求の範囲に使用される「及び／又は」は、連結対象の少なくとも１つを示す。
【００１８】
本願の技術手段は、ＧＳＭ（登録商標）システム（Ｇｌｏｂａｌ  Ｓｙｓｔｅｍ  ｏｆ  Ｍｏｂｉｌｅ  ｃｏｍｍｕｎｉｃａｔｉｏｎ）、ＣＤＭＡ（登録商標）（Ｃｏｄｅ  Ｄｉｖｉｓｉｏｎ  Ｍｕｌｔｉｐｌｅ  Ａｃｃｅｓｓ）システム、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ  ａｄｖａｎｃｅｄ）、ＮＲ（Ｎｅｗ  Ｒａｄｉｏ）など、様々な通信システムに応用可能である。
【００１９】
ＵＥは、ユーザ側、移動端末（Ｍｏｂｉｌｅ  Ｔｅｒｍｉｎａｌ）、移動ユーザ機器などと称されてもよく、ＲＡＮ（Ｒａｄｉｏ  Ａｃｃｅｓｓ  Ｎｅｔｗｏｒｋ）などの無線アクセスネットワークを介して１つ又は複数のコアネットワークと通信可能である。端末機器は、移動電話（又は「セルラー」電話と称される）などの移動端末や、携帯式、ポータブル式、ハンドヘルド式、コンピュータ内蔵式又は車載の移動装置など、移動端末を有するコンピュータであり、無線アクセスネットワークとは音声及び／又はデータのやり取りを行う。
【００２０】
ネットワーク側機器は、端末機器との通信に用いられるものであり、ＧＳＭ（登録商標）又はＣＤＭＡ（登録商標）におけるＢＴＳ（Ｂａｓｅ  Ｔｒａｎｓｃｅｉｖｅｒ  Ｓｔａｔｉｏｎ）であってもよく、ＷＣＤＭＡ（登録商標）における基地局（ＮｏｄｅＢ）であってもよく、更に、ＬＴＥにおけるｅＮＢ又はｅ−ＮｏｄｅＢ（ｅｖｏｌｕｔｉｏｎａｌ  Ｎｏｄｅ  Ｂ）及び５Ｇ基地局（ｇＮＢ）であってもよいが、本開示では限定せず、記載をしやすくするために、以下の実施例において、ｇＮＢを例として説明する。
【００２１】
以下、図面とともに、本開示の各実施例の技術手段を詳細に説明する。
【００２２】
本開示の実施例に係る英字の略語は、以下の通りである。
サービスデータ適応プロトコルＳＤＡＰ（Ｓｅｒｖｉｃｅ  Ｄａｔａ  Ａｄａｐｔａｔｉｏｎ  Ｐｒｏｔｏｃｏｌ）
データ無線ベアラＤＲＢ（Ｄａｔａ  Ｒａｄｉｏ  Ｂｅａｒｅｒ）
パケットデータ収束プロトコルＰＤＣＰ（Ｐａｃｋｅｔ  Ｄａｔａ  Ｃｏｎｖｅｒｇｅｎｃｅ  Ｐｒｏｔｏｃｏｌ）
プロトコルデータユニットＰＤＵ（Ｐｒｏｔｏｃｏｌ  Ｄａｔａ  Ｕｎｉｔ）
非アクセス層ＮＡＳ（Ｎｏｎ−ａｃｃｅｓｓ  ｓｔｒａｔｕｍ）。
【００２３】
本開示の１つの実施例は、ＳＤＡＰエンティティの設定方法を提供する。該方法は、端末機器に応用され、端末機器によって実行される。図１は、本開示の１つの実施例に係るＳＤＡＰエンティティの設定方法のフローチャートである。図１に示すように、該方法は、以下のステップを含む。
【００２４】
ステップ１０２において、設定予定のＤＲＢの識別子と、前記設定予定のＤＲＢに対応するＳＤＡＰエンティティ識別子とを含む設定情報を受信する。
【００２５】
具体的には、ステップ１０２で受信した設定情報は、ネットワーク側機器から送信される。ここで、上記ＤＲＢの識別子は、ＤＲＢのユニークなＩＤ（ｉｄｅｎｔｉｆｉｃａｔｉｏｎ）であってもよく、上記ＳＤＡＰエンティティ識別子は、ＳＤＡＰエンティティのＩＤであってもよい。
【００２６】
上記設定情報において、含まれる設定予定のＤＲＢの数は、１つ又は複数であり、含まれるＳＤＡＰエンティティの数も、１つ又は複数である。しかしながら、１つの設定予定のＤＲＢは、１つのＳＤＡＰエンティティに対応し、即ち、１つのＤＲＢは、１つのＳＤＡＰエンティティにのみ設定される。ただし、１つのＳＤＡＰエンティティは、複数のＤＲＢに対応することができる。
【００２７】
例えば、上記設定情報において、設定予定のＤＲＢがＤＲＢ１、ＤＲＢ２及びＤＲＢ３であり、ＤＲＢ１及びＤＲＢ２がＳＤＡＰ１に対応し、ＤＲＢ３がＳＤＡＰ２に対応し、即ち、ＤＲＢ１及びＤＲＢ２がともにＳＤＡＰ１に設定され、ＤＲＢ３がＳＤＡＰ２に設定された場合、ＤＲＢ１及びＤＲＢ２は、ＳＤＡＰ２に設定されなくなり、同様に、ＤＲＢ３もＳＤＡＰ１に設定されなくなる。この場合、ＤＲＢ１、ＤＲＢ２、ＤＲＢ３とＳＤＡＰ１、ＳＤＡＰ２との対応関係は、図２に示すようになる。
【００２８】
本開示の実施例において、１つのＤＲＢは、１つのＳＤＡＰエンティティにしか対応できない。それによって、ＤＲＢがどのＳＤＡＰエンティティにデータを送信するかを明確に知ることができ、ＤＲＢが複数のＳＤＡＰエンティティに対応する場合に、ＤＲＢがどのＳＤＡＰエンティティにデータを送信するかを不明瞭であり、データ送信が混乱するという状況が生じることを回避する。
【００２９】
ステップ１０４において、上記設定情報に基づいて、設定予定のＤＲＢと、上記ＳＤＡＰエンティティ識別子に対応するターゲットＳＤＡＰエンティティを設定する。
【００３０】
具体的には、本開示の実施例において、上記の設定予定のＤＲＢの設定は、設定予定のＤＲＢの削除又は確立、設定予定のＤＲＢに対応するＳＤＡＰエンティティの修正などを含む。上記のＳＤＡＰエンティティ識別子に対応するターゲットＳＤＡＰエンティティの設定は、ターゲットＳＤＡＰエンティティの削除、ターゲットＳＤＡＰエンティティの確立などを含む。
【００３１】
本開示の実施例において、受信した設定情報は、設定予定のＤＲＢの識別子と、該設定予定のＤＲＢに対応するＳＤＡＰエンティティ識別子とを含み、該設定情報に基づいて設定予定のＤＲＢを設定し、ＤＲＢの設定によって、ＳＤＡＰエンティティ識別子に対応するターゲットＳＤＡＰエンティティの設定を実現することができる。即ち、本開示の実施例において、暗黙的な方式でＳＤＡＰエンティティの設定を実現している。これにより、ＳＤＡＰエンティティを設定する設定シグナリングの再送信が回避され、ＳＤＡＰエンティティを設定する設定シグナリングのオーバーヘッドが節約され、ＳＤＡＰエンティティの設定のオーバーヘッドが低減される。
【００３２】
本開示の１つの具体的な実施例において、上記設定情報は、設定予定のＤＲＢの確立を指示し、それに対応し、上記ステップ１０４において、上記設定情報に基づいて、設定予定のＤＲＢと、ＳＤＡＰエンティティ識別子に対応するターゲットＳＤＡＰエンティティを設定することは、具体的には、ターゲットＳＤＡＰエンティティが確立されていない場合、設定予定のＤＲＢを確立し、ターゲットＳＤＡＰエンティティを確立することを含む。
【００３３】
具体的には、本開示の実施例において、端末機器は、上記設定情報を受信すると、現在、上記ターゲットＳＤＡＰエンティティが既に確立されているか否かを調べ、まだターゲットＳＤＡＰエンティティが確立されていない場合、上記設定予定のＤＲＢ及びターゲットＳＤＡＰエンティティを確立し、且つ、設定予定のＤＲＢとターゲットＳＤＡＰエンティティとの対応関係を確立する必要がある。
【００３４】
端末機器は、ターゲットＳＤＡＰエンティティを既に確立している場合、上記設定予定のＤＲＢを確立し、設定予定のＤＲＢとターゲットＳＤＡＰエンティティとの対応関係を確立すればよい。
【００３５】
本開示の実施例において、設定情報によって設定予定のＤＲＢの確立を指示することによって、ターゲットＳＤＡＰエンティティが既に確立されているか否かの端末機器自身による検査をトリガーし、そうでない場合、端末機器が該ターゲットＳＤＡＰエンティティを確立することをトリガーするため、ネットワーク側機器からターゲットＳＤＡＰエンティティを確立する設定シグナリングの再送信を必要とされず、ターゲットＳＤＡＰエンティティを確立する設定シグナリングのオーバーヘッドが節約され、ＳＤＡＰエンティティの設定のオーバーヘッドが低減される。
【００３６】
ＳＤＡＰエンティティは、ＤＲＢに対応することに加えて、上位層のＰＤＵセッションにも対応し、１つのＳＤＡＰエンティティは、１つのＰＤＵセッションに対応する。ＳＤＡＰエンティティ、ＰＤＵセッション及びＤＲＢの１つの対応関係は、図３に示される。
【００３７】
図３に示されるのは、ＳＤＡＰエンティティ、ＰＤＵセッション、及びＤＲＢに対応するＰＤＣＰエンティティの対応関係であり、１つのＤＲＢが１つのＰＤＣＰエンティティに対応する。図３に示すケースでは、１つのＳＤＡＰエンティティが２つのＰＤＣＰに対応するケースを挙げたが、実際には、１つのＳＤＡＰエンティティが対応するＰＤＣＰエンティティの個数は、これに限定されない。
【００３８】
従って、本開示の実施例において、上記設定情報は、ＳＤＡＰエンティティ識別子に対応するＰＤＵセッションユニットを更に含む。それに対応し、上記の設定予定のＤＲＢを確立し、ターゲットＳＤＡＰエンティティを確立した後に、本開示の実施例に係る方法は、ターゲットＳＤＡＰエンティティとＰＤＵセッション識別子に対応するターゲットＰＤＵセッションとの対応関係を確立することを更に含む。
【００３９】
また、本開示の実施例において、設定予定のＤＲＢ、ターゲットＳＤＡＰエンティティ、及び設定予定のＤＲＢとターゲットＳＤＡＰエンティティとの対応関係が確立された後、設定予定のＤＲＢに対応するターゲットＰＤＣＰエンティティは、データを受信した後に、該データをターゲットＳＤＡＰエンティティに送信する。これにより、設定予定のＤＲＢとターゲットＳＤＡＰエンティティとの間のデータ転送が達成される。
【００４０】
本開示の１つの具体的な実施例において、上記設定情報は、設定予定のＤＲＢに対応する第１ＳＤＡＰエンティティをターゲットＳＤＡＰエンティティに修正することを指示し、それに対応し、上記ステップ１０４において、上記設定情報に基づいて、設定予定のＤＲＢと、ＳＤＡＰエンティティ識別子に対応するターゲットＳＤＡＰエンティティを設定することは、ターゲットＳＤＡＰエンティティが確立されていない場合、ターゲットＳＤＡＰエンティティを確立し、設定予定のＤＲＢとターゲットＳＤＡＰエンティティとの対応関係を確立することを含む。
【００４１】
ここで、上記の設定予定のＤＲＢに対応する第１ＳＤＡＰエンティティをターゲットＳＤＡＰエンティティに修正することは、端末機器に既に存在するＤＲＢの対応関係を修正すること、即ち、端末機器では元々設定予定のＤＲＢが第１ＳＤＡＰエンティティに対応し、設定予定のＤＲＢの対応関係をターゲットＳＤＡＰエンティティに対応するように修正する必要があり、即ち、設定予定のＤＲＢと第１ＳＤＡＰエンティティとの対応関係を解除し、設定予定のＤＲＢとターゲットＳＤＡＰエンティティとの対応関係を確立することを意味する。
【００４２】
この場合、端末機器は、設定情報を受信すると、ターゲットＳＤＡＰエンティティが既に確立されているか否かを調べ、ターゲットＳＤＡＰエンティティが確立されていない場合、ターゲットＳＤＡＰエンティティを確立し、設定予定のＤＲＢとターゲットＳＤＡＰエンティティとの対応関係を確立すると同時に、設定予定のＤＲＢと第１ＳＤＡＰエンティティとの対応関係を解除する必要がある。
【００４３】
端末機器は、上記ターゲットＳＤＡＰエンティティを確立した場合、設定予定のＤＲＢとターゲットＳＤＡＰエンティティとの対応関係を確立し、設定予定のＤＲＢと第１ＳＤＡＰエンティティとの対応関係を解除すればよい。
【００４４】
本開示の実施例において、端末機器に既に存在する設定予定のＤＲＢに対応するＳＤＡＰエンティティを修正することを設定情報によって指示することで、ターゲットＳＤＡＰエンティティが既に確立されているか否かの端末機器自身による検出をトリガーし、ターゲットＳＤＡＰエンティティが確立されていない場合、端末機器がターゲットＳＤＡＰエンティティを確立することをトリガーするため、ネットワーク側機器からターゲットＳＤＡＰエンティティを確立する設定シグナリングの再送信を必要とされず、ターゲットＳＤＡＰエンティティを確立する設定シグナリングのオーバーヘッドが節約され、ＳＤＡＰエンティティの設定のオーバーヘッドが低減される。
【００４５】
１つの具体的な実施形態において、上記設定予定のＤＲＢが第１ＳＤＡＰエンティティに対応する全てのＤＲＢである場合、本開示の実施例に係る方法は、第１ＳＤＡＰエンティティを削除することを更に含む。
【００４６】
例えば、１つの具体的な実施形態において、第１ＳＤＡＰエンティティは、３つのＤＲＢに対応し、それぞれＤＲＢ１、ＤＲＢ２及びＤＲＢ３と記載する。もし上記設定情報における設定予定のＤＲＢがちょうどＤＲＢ１、ＤＲＢ２及びＤＲＢ３である場合、ＤＲＢ１、ＤＲＢ２及びＤＲＢ３と、ターゲットＳＤＡＰエンティティとの対応関係を確立し、ＤＲＢ１、ＤＲＢ２及びＤＲＢ３と、第１ＳＤＡＰエンティティとの対応関係を削除した後に、第１ＳＤＡＰエンティティには、対応するＤＲＢが存在しない。この場合、端末機器が該第１ＳＤＡＰエンティティを削除することをトリガーする。
【００４７】
本開示の実施例において、端末機器に既に存在する設定予定のＤＲＢに対応するＳＤＡＰエンティティを修正することを設定情報によって指示する場合、設定予定のＤＲＢが第１ＳＤＡＰエンティティに対応する全てのＤＲＢであれば、端末機器が第１ＳＤＡＰエンティティを削除することをトリガーするため、ネットワーク側機器から第１ＳＤＡＰエンティティを削除する設定シグナリングの再送信を必要とされず、第１ＳＤＡＰエンティティを設定する設定シグナリングのオーバーヘッドが節約され、ＳＤＡＰエンティティの設定のオーバーヘッドが低減される。
【００４８】
また、本開示のもう１つの具体的な実施例において、上記設定情報は、設定予定のＤＲＢの削除を指示し、この場合、上記ステップ１０４において、設定情報に基づいて、設定予定のＤＲＢと、ＳＤＡＰエンティティ識別子に対応するターゲットＳＤＡＰエンティティを設定することは、ターゲットＳＤＡＰエンティティが確立されており、且つ設定予定のＤＲＢがターゲットＳＤＡＰエンティティに対応する全てのＤＲＢである場合、設定予定のＤＲＢ及びターゲットＳＤＡＰエンティティを削除することを含む。
【００４９】
具体的には、本開示の実施例において、上記設定情報が設定予定のＤＲＢの削除を指示するものであれば、端末機器は、該設定情報を受信すると、ターゲットＳＤＡＰエンティティが既に確立されているか否かを検出し、上記設定予定のＤＲＢがターゲットＳＤＡＰエンティティに対応する全てのＤＲＢであるか否かを判断し、そうであれば、上記設定予定のＤＲＢ及びターゲットＳＤＡＰエンティティを削除する。設定予定のＤＲＢがターゲットＳＤＡＰエンティティに対応する全てのＤＲＢではない場合、端末機器は、設定予定のＤＲＢを削除すればよい。
【００５０】
例えば、上記設定情報に含まれる設定予定のＤＲＢがＤＲＢ１、ＤＲＢ２、ＤＲＢ３であり、ＤＲＢ１、ＤＲＢ２、ＤＲＢ３がＳＤＡＰエンティティ１に対応し、ＤＲＢ１、ＤＲＢ２、ＤＲＢ３がＳＤＡＰエンティティ１に対応する全てのＤＲＢである場合、上記設定情報がＤＲＢ１、ＤＲＢ２、ＤＲＢ３の削除を指示すると、ＤＲＢ１、ＤＲＢ２、ＤＲＢ３の削除と同時にＳＤＡＰエンティティ１を削除する。
【００５１】
本開示の実施例において、設定予定のＤＲＢの削除を設定情報によって指示することで、端末機器が、ＤＲＢに対応するターゲットＳＤＡＰエンティティが既に確立されており、設定予定のＤＲＢがターゲットＳＤＡＰエンティティに対応する全てのＤＲＢであることを検出した場合、ターゲットＳＤＡＰエンティティを削除するようにトリガーする。これにより、ターゲットＳＤＡＰエンティティに対応するＤＲＢの数がゼロであることを検出した場合に、端末機器が、該ターゲットＳＤＡＰエンティティを直接削除するようにトリガーすることができる。ネットワーク側機器からターゲットＳＤＡＰエンティティを削除する設定シグナリングを再送信する必要がなく、ターゲットＳＤＡＰエンティティを設定する設定シグナリングのオーバーヘッドが節約され、ＳＤＡＰエンティティ設定のオーバーヘッドが低減される。
【００５２】
また、本開示の実施例において、ターゲットＳＤＡＰエンティティが削除された後に、ターゲットＳＤＡＰエンティティに対応するＰＤＵセッションは、対応するＳＤＡＰエンティティが存在しないため、ターゲットＳＤＡＰエンティティに対応するＰＤＵセッションも削除する必要がある。そこで、本開示の実施例において、上記設定情報には、ＳＤＡＰエンティティ識別子に対応するＰＤＵセッション識別子を更に含む。それに対応し、上記の設定予定のＤＲＢ及びターゲットＳＤＡＰエンティティを削除した後に、本開示の実施例に係る方法は、ターゲットＳＤＡＰエンティティとＰＤＵセッション識別子に対応するターゲットＰＤＵセッションとの対応関係を削除することを更に含む。
【００５３】
また、本開示の実施例において、削除されたＳＤＡＰエンティティにＮＡＳがデータを送信する状況を回避するために、ターゲットＳＤＡＰエンティティが削除されたことをＮＡＳに通知する必要がある。従って、本開示の実施例に係る方法は、ＮＡＳエンティティに対し、ターゲットＳＤＡＰエンティティが削除されたことをＮＡＳエンティティに通知するための削除通知メッセージを送信することを更に含む。
【００５４】
具体的には、上記削除通知メッセージは、ターゲットＳＤＡＰエンティティの削除と同時にＮＡＳに送信されてもよいし、ターゲットＳＤＡＰエンティティの削除が完了した後にＮＡＳに送信されてもよい。
【００５５】
本開示の実施例において、ターゲットＳＤＡＰエンティティ削除メッセージをＮＡＳに通知することによって、ＮＡＳがターゲットＳＤＡＰエンティティにデータを送信し続けることを回避することができる。
【００５６】
ここで、上記削除通知メッセージは、ターゲットＳＤＡＰエンティティに対応するＳＤＡＰエンティティ識別子と、ターゲットＳＤＡＰエンティティに対応するターゲットＰＤＵセッションのＰＤＵセッション識別子と、ターゲットＳＤＡＰエンティティに対応するＤＲＢ識別子の少なくとも１つを含む。
【００５７】
具体的には、上記削除通知メッセージは、ターゲットエンティティに対応するＳＤＡＰエンティティ識別子と、ターゲットＳＤＡＰエンティティに対応するターゲットＰＤＵセッションのＰＤＵセッション識別子と、ターゲットＳＤＡＰエンティティに対応するＤＲＢ識別子のうちの１つ、２つ、又は３つを含む。
【００５８】
本開示の実施例に係るサービスデータ適応プロトコルＳＤＡＰエンティティの設定方法によって、ＳＤＡＰエンティティ識別子に対応するターゲットＳＤＡＰエンティティの設定がＤＲＢの設定によって達成される。即ち、本開示の実施例において、ＳＤＡＰエンティティを暗黙的に設定することが実現され、これにより、ＳＤＡＰエンティティを設定する設定シグナリングの再送信が回避され、ＳＤＡＰエンティティを設定する設定シグナリングのオーバーヘッドが節約され、ＳＤＡＰエンティティの設定のオーバーヘッドが低減される。
【００５９】
上記実施例に対応し、本開示の１つの実施例は、ネットワーク側機器に応用されるサービスデータ適応プロトコルＳＤＡＰエンティティの設定方法を更に提供する。本開示の実施例において、上記実施例と同一部分の詳細な説明は、上記実施例の内容を参照することができ、本実施例では繰り返さない。図４は、本開示の実施例に係るサービスデータ適応プロトコルＳＤＡＰエンティティの設定方法の第２方法のフローチャートである。図４に示す方法は、少なくとも以下のステップを含む。
【００６０】
ステップ２０２において、設定予定のＤＲＢの識別子と、設定予定のＤＲＢに対応するＳＤＡＰエンティティ識別子とを含む設定情報を送信する。ここで、上記設定情報は、端末機器が設定情報に基づいて設定予定のＤＲＢとＳＤＡＰエンティティ識別子に対応するターゲットＳＤＡＰエンティティを設定することに用いられる。
【００６１】
具体的には、ステップ２０２において、設定情報を端末機器に送信し、端末機器は、該設定情報に基づいて、設定予定のＤＲＢと上記ＳＤＡＰエンティティ識別子に対応するターゲットＳＤＡＰエンティティを設定する。
【００６２】
上記ＤＲＢの識別子は、ＤＲＢのＩＤであってもよく、上記ＳＤＡＰエンティティ識別子は、ＳＤＡＰエンティティのＩＤであってもよい。
【００６３】
上記設定情報において、含まれる設定予定のＤＲＢの数は、１つ又は複数であり、含まれるＳＤＡＰエンティティの数も、１つ又は複数である。しかしながら、１つの設定予定のＤＲＢは、１つのＳＤＡＰエンティティに対応し、即ち、１つのＤＲＢは、１つのＳＤＡＰエンティティにのみ設定される。ただし、１つのＳＤＡＰエンティティは、複数のＤＲＢに対応することができる。
【００６４】
例えば、上記設定情報において、設定予定のＤＲＢがＤＲＢ１、ＤＲＢ２及びＤＲＢ３であり、ＤＲＢ１及びＤＲＢ２がＳＤＡＰ１に対応し、ＤＲＢ３がＳＤＡＰ２に対応し、即ち、ＤＲＢ１及びＤＲＢ２がともにＳＤＡＰ１に設定され、ＤＲＢ３がＳＤＡＰ２に設定された場合、ＤＲＢ１及びＤＲＢ２は、ＳＤＡＰ２に設定されなくなり、同様に、ＤＲＢ３もＳＤＡＰ１に設定されなくなる。
【００６５】
本開示の実施例において、１つのＤＲＢは、１つのＳＤＡＰエンティティにしか対応できない。それによって、ＤＲＢがどのＳＤＡＰエンティティにデータを送信するかを明確に知ることができ、ＤＲＢが複数のＳＤＡＰエンティティに対応する場合に、ＤＲＢがどのＳＤＡＰエンティティにデータを送信するかを不明瞭であり、データ送信が混乱するという状況が生じることを回避する。
【００６６】
ここで、上記端末機器が設定情報に基づいて設定予定のＤＲＢを設定することは、設定予定のＤＲＢの削除、設定予定のＤＲＢの確立、設定予定のＤＲＢに対応するＳＤＡＰエンティティの修正などである。上記のＳＤＡＰエンティティ識別子に対応するターゲットＳＤＡＰエンティティの設定は、ターゲットＳＤＡＰエンティティの削除、ターゲットＳＤＡＰエンティティの確立などである。
【００６７】
本開示の実施例において、設定予定のＤＲＢの識別子と、該設定予定のＤＲＢに対応するＳＤＡＰエンティティ識別子とを含む設定情報を端末機器に送信することによって、端末機器は、該設定情報に基づいて設定予定のＤＲＢを設定し、ＤＲＢの設定によって、ＳＤＡＰエンティティ識別子に対応するターゲットＳＤＡＰエンティティの設定を実現することができる。即ち、本開示の実施例において、暗黙的な方式でＳＤＡＰエンティティの設定を実現している。これにより、ＳＤＡＰエンティティを設定する設定シグナリングの端末機器への再送信が回避され、ＳＤＡＰエンティティを設定する設定シグナリングのオーバーヘッドが節約され、ＳＤＡＰエンティティの設定のオーバーヘッドが低減される。
【００６８】
ここで、本開示の１つの具体的な実施例において、上記設定情報は、設定予定のＤＲＢの確立を指示し、それに対応し、上記設定情報は、更に、ターゲットＳＤＡＰエンティティが確立されていない場合、端末機器が上記設定情報に基づいて設定予定のＤＲＢを確立し、ターゲットＳＤＡＰエンティティを確立することに用いられる。
【００６９】
具体的には、本開示の実施例において、上記設定情報を端末機器に送信すると、端末機器は、現在、上記ターゲットＳＤＡＰエンティティが既に確立されているか否かを調べ、まだターゲットＳＤＡＰエンティティが確立されていない場合、上記設定情報に基づいて、上記設定予定のＤＲＢ及びターゲットＳＤＡＰエンティティを確立し、且つ、設定予定のＤＲＢとターゲットＳＤＡＰエンティティとの対応関係を確立する必要がある。
【００７０】
端末機器は、ターゲットＳＤＡＰエンティティを既に確立している場合、上記設定予定のＤＲＢを確立し、設定予定のＤＲＢとターゲットＳＤＡＰエンティティとの対応関係を確立すればよい。
【００７１】
本開示の実施例において、端末機器に送信した設定情報によって設定予定のＤＲＢの確立を指示することで、ターゲットＳＤＡＰエンティティが既に確立されているか否かの端末機器自身による検査をトリガーし、そうでない場合、端末機器が該ターゲットＳＤＡＰエンティティを確立することをトリガーするため、ターゲットＳＤＡＰエンティティを確立する設定シグナリングの端末機器への再送信を必要とされず、ターゲットＳＤＡＰエンティティを確立する設定シグナリングのオーバーヘッドが節約され、ＳＤＡＰエンティティの設定のオーバーヘッドが低減される。
【００７２】
また、本開示の実施例において、上記設定情報は、ＳＤＡＰエンティティ識別子に対応するＰＤＵセッションユニットを更に含む。それに対応し、上記設定情報は、更に、端末機器が該設定情報に基づいて、ターゲットＳＤＡＰエンティティとＰＤＵセッション識別子に対応するターゲットＰＤＵセッションとの対応関係を確立することに用いられる。
【００７３】
本開示の１つの具体的な実施例において、上記設定情報は、設定予定のＤＲＢに対応する第１ＳＤＡＰエンティティをターゲットＳＤＡＰエンティティに修正することを指示し、それに対応し、上記設定情報は、更に、ターゲットＳＤＡＰエンティティが確立されていない場合、端末機器が上記設定情報に基づいて、ターゲットＳＤＡＰエンティティを確立し、設定予定のＤＲＢとターゲットＳＤＡＰエンティティとの対応関係を確立することに用いられる。
【００７４】
ここで、上記の設定予定のＤＲＢに対応する第１ＳＤＡＰエンティティをターゲットＳＤＡＰエンティティに修正することは、端末機器に既に存在するＤＲＢの対応関係を修正すること、即ち、端末機器では元々設定予定のＤＲＢが第１ＳＤＡＰエンティティに対応し、設定予定のＤＲＢの対応関係をターゲットＳＤＡＰエンティティに対応するように修正する必要があり、即ち、設定予定のＤＲＢと第１ＳＤＡＰエンティティとの対応関係を解除し、設定予定のＤＲＢとターゲットＳＤＡＰエンティティとの対応関係を確立することを意味する。
【００７５】
この場合、ネットワーク側機器が上記設定情報を端末機器に送信した後に、端末機器は、ターゲットＳＤＡＰエンティティが既に確立されているか否かを調べ、ターゲットＳＤＡＰエンティティが確立されていない場合、該設定情報に基づいて、ターゲットＳＤＡＰエンティティを確立し、設定予定のＤＲＢとターゲットＳＤＡＰエンティティとの対応関係を確立すると同時に、設定予定のＤＲＢと第１ＳＤＡＰエンティティとの対応関係を解除する。
【００７６】
端末機器は、上記ターゲットＳＤＡＰエンティティを確立した場合、上記設定情報に基づいて、設定予定のＤＲＢとターゲットＳＤＡＰエンティティとの対応関係を確立し、設定予定のＤＲＢと第１ＳＤＡＰエンティティとの対応関係を解除すればよい。
【００７７】
本開示の実施例において、設定予定のＤＲＢに対応する第１ＳＤＡＰエンティティをターゲットＳＤＡＰエンティティに修正するように、端末機器に送信した設定情報によって指示することで、ターゲットＳＤＡＰエンティティが既に確立されているか否かの端末機器自身による検出をトリガーし、ターゲットＳＤＡＰエンティティが確立されていない場合、端末機器がターゲットＳＤＡＰエンティティを確立することをトリガーするため、ターゲットＳＤＡＰエンティティを確立する設定シグナリングの端末機器への再送信を必要とされず、ターゲットＳＤＡＰエンティティを確立する設定シグナリングのオーバーヘッドが節約され、ＳＤＡＰエンティティの設定のオーバーヘッドが低減される。
【００７８】
１つの具体的な実施形態において、設定予定のＤＲＢが第１ＳＤＡＰエンティティに対応する全てのＤＲＢである場合、それに対応し、上記設定情報は、更に、端末機器が該設定情報に基づいて第１ＳＤＡＰエンティティを削除することに用いられる。
【００７９】
例えば、１つの具体的な実施形態において、第１ＳＤＡＰエンティティは、３つのＤＲＢに対応し、それぞれＤＲＢ１、ＤＲＢ２及びＤＲＢ３と記載する。もし上記設定情報における設定予定のＤＲＢがちょうどＤＲＢ１、ＤＲＢ２及びＤＲＢ３である場合、ＤＲＢ１、ＤＲＢ２及びＤＲＢ３と、ターゲットＳＤＡＰエンティティとの対応関係を確立し、ＤＲＢ１、ＤＲＢ２及びＤＲＢ３と、第１ＳＤＡＰエンティティとの対応関係を削除した後に、第１ＳＤＡＰエンティティには、対応するＤＲＢが存在しない。この場合、端末機器が該第１ＳＤＡＰエンティティを削除することをトリガーする。
【００８０】
本開示の実施例において、端末機器に既に存在する設定予定のＤＲＢに対応するＳＤＡＰエンティティの修正を、端末機器に送信した設定情報によって指示する場合、設定予定のＤＲＢが第１ＳＤＡＰエンティティに対応する全てのＤＲＢであれば、端末機器が第１ＳＤＡＰエンティティを削除することをトリガーするため、第１ＳＤＡＰエンティティを削除する設定シグナリングの端末機器への再送信を必要とされず、第１ＳＤＡＰエンティティを設定する設定シグナリングのオーバーヘッドが節約され、ＳＤＡＰエンティティの設定のオーバーヘッドが低減される。
【００８１】
また、本開示の１つの具体的な実施例において、上記設定情報は、設定予定のＤＲＢの削除を指示し、それに対応し、上記設定情報は、更に、ターゲットＳＤＡＰエンティティが確立されており、且つ設定予定のＤＲＢがターゲットＳＤＡＰエンティティに対応する全てのＤＲＢである場合、端末機器が該設定情報に基づいて設定予定のＤＲＢ及びターゲットＳＤＡＰエンティティを削除することに用いられる。
【００８２】
具体的には、本開示の実施例において、上記設定情報が設定予定のＤＲＢの削除を指示するものであれば、該設定情報を端末機器に送信した後に、端末機器は、該設定情報に基づいて、ターゲットＳＤＡＰエンティティが既に確立されているか否かを検出し、上記設定予定のＤＲＢがターゲットＳＤＡＰエンティティに対応する全てのＤＲＢであるか否かを判断し、そうであれば、上記設定予定のＤＲＢ及びターゲットＳＤＡＰエンティティを削除する。設定予定のＤＲＢがターゲットＳＤＡＰエンティティに対応する全てのＤＲＢではない場合、端末機器は、設定予定のＤＲＢを削除すればよい。
【００８３】
例えば、上記設定情報に含まれる設定予定のＤＲＢがＤＲＢ１、ＤＲＢ２、ＤＲＢ３であり、ＤＲＢ１、ＤＲＢ２、ＤＲＢ３がＳＤＡＰエンティティ１に対応し、ＤＲＢ１、ＤＲＢ２、ＤＲＢ３がＳＤＡＰエンティティ１に対応する全てのＤＲＢである場合、上記設定情報がＤＲＢ１、ＤＲＢ２、ＤＲＢ３の削除を指示すると、ＤＲＢ１、ＤＲＢ２、ＤＲＢ３の削除と同時にＳＤＡＰエンティティ１を削除する。
【００８４】
本開示の実施例において、設定予定のＤＲＢの削除を、端末機器に送信した設定情報によって指示することで、端末機器が、ＤＲＢに対応するターゲットＳＤＡＰエンティティが既に確立されており、設定予定のＤＲＢがターゲットＳＤＡＰエンティティに対応する全てのＤＲＢであることを検出した場合、ターゲットＳＤＡＰエンティティを削除するようにトリガーする。これにより、ターゲットＳＤＡＰエンティティに対応するＤＲＢの数がゼロであることを検出した場合に、端末機器が、該ターゲットＳＤＡＰエンティティを直接削除するようにトリガーすることができる。ネットワーク側機器がターゲットＳＤＡＰエンティティを削除する設定シグナリングを再送信する必要がなく、ターゲットＳＤＡＰエンティティを設定する設定シグナリングのオーバーヘッドが節約され、ＳＤＡＰエンティティ設定のオーバーヘッドが低減される。
【００８５】
また、本開示の実施例において、端末機器がターゲットＳＤＡＰエンティティを削除した後に、端末機器上のターゲットＳＤＡＰエンティティに対応するＰＤＵセッションには、対応するＳＤＡＰエンティティが存在しないため、端末機器は、ターゲットＳＤＡＰエンティティに対応するＰＤＵセッションも削除する必要がある。そこで、本開示の実施例において、上記設定情報には、ＳＤＡＰエンティティ識別子に対応するＰＤＵセッション識別子を更に含む。それに対応し、上記設定情報は、更に、端末機器が該設定情報に基づいて、ターゲットＳＤＡＰエンティティとＰＤＵセッション識別子に対応するターゲットＰＤＵセッションとの対応関係を削除することに用いられる。
【００８６】
本開示の実施例に係るサービスデータ適応プロトコルＳＤＡＰエンティティの設定方法によって、設定予定のＤＲＢの識別子と、該設定予定のＤＲＢに対応するＳＤＡＰエンティティ識別子とを含む設定情報を端末機器に送信することによって、端末機器は、該設定情報に基づいて、設定予定のＤＲＢを設定し、ＤＲＢの設定によって、ＳＤＡＰエンティティ識別子に対応するターゲットＳＤＡＰエンティティの設定を実現する。即ち、本開示の実施例において、ＳＤＡＰエンティティを暗黙的に設定することが実現され、これにより、ＳＤＡＰエンティティを設定する設定シグナリングを端末機器に再送信することが回避され、ＳＤＡＰエンティティを設定する設定シグナリングのオーバーヘッドが節約され、ＳＤＡＰエンティティの設定のオーバーヘッドが低減される。
【００８７】
図５は、本開示の実施例に係るサービスデータ適応プロトコルＳＤＡＰエンティティの設定方法の第３方法のフローチャートである。図５に示す方法は、少なくとも以下のステップを含む。
【００８８】
ステップ３０２において、ネットワーク側機器は、端末機器を設定情報に送信する。ここで、該設定情報には、設定予定のＤＲＢの識別子と、設定予定のＤＲＢに対応するＳＤＡＰエンティティ識別子を含む。
【００８９】
ステップ３０４において、端末機器は、ネットワーク側機器から送信された上記設定情報を受信する。
【００９０】
ステップ３０６において、端末機器は、上記設定情報に基づいて、設定予定のＤＲＢと、ＳＤＡＰエンティティ識別子に対応するターゲットＳＤＡＰエンティティを設定する。
【００９１】
本開示の実施例の具体的な実施プロセスは、前記実施例の説明を参照することができ、ここでは繰り返さない。
【００９２】
本開示の実施例に係るサービスデータ適応プロトコルＳＤＡＰエンティティの設定方法によって、ＳＤＡＰエンティティを暗黙的に設定することが実現され、これにより、ＳＤＡＰエンティティを設定する設定シグナリングを端末機器に再送信することが回避され、ＳＤＡＰエンティティを設定する設定シグナリングのオーバーヘッドが節約され、ＳＤＡＰエンティティの設定のオーバーヘッドが低減される。
【００９３】
上記実施例に係るサービスデータ適応プロトコルＳＤＡＰエンティティの設定方法に対応し、本開示の実施例は、端末機器を提供する。本開示の実施例に係る端末機器は、上記実施例において端末機器によって実現される各プロセスを実現することができる。
【００９４】
図６は、本開示の実施例に係る端末機器のモジュール構成の概略図である。図６に示す端末機器は、少なくとも、設定予定のデータ無線ベアラＤＲＢの識別子と、前記設定予定のＤＲＢに対応するＳＤＡＰエンティティ識別子とを含む設定情報を受信する受信モジュール４０１と、前記設定情報に基づいて、設定予定のＤＲＢと、ＳＤＡＰエンティティ識別子に対応するターゲットＳＤＡＰエンティティを設定する設定モジュール４０２とを含む。
【００９５】
選択可能に、上記設定情報は、前記設定予定のＤＲＢの確立を指示し、それに対応し、上記設定モジュール４０２は、具体的には、ターゲットＳＤＡＰエンティティが確立されていない場合、設定予定のＤＲＢを確立し、ターゲットＳＤＡＰエンティティを確立する。
【００９６】
選択可能に、上記設定情報は、設定予定のＤＲＢに対応する第１ＳＤＡＰエンティティをターゲットＳＤＡＰエンティティに修正することを指示し、それに対応し、上記設定モジュール４０２は、具体的には、ターゲットＳＤＡＰエンティティが確立されていない場合、ターゲットＳＤＡＰエンティティを確立し、設定予定のＤＲＢと前記ターゲットＳＤＡＰエンティティとの対応関係を確立する。
【００９７】
選択可能に、上記設定予定のＤＲＢは、第１ＳＤＡＰエンティティに対応する全てのＤＲＢである場合、上記機器は、第１ＳＤＡＰエンティティを削除する第１削除モジュールを更に含む。
【００９８】
選択可能に、上記設定情報は、設定予定のＤＲＢの削除を指示し、それに対応し、上記設定モジュール４０２は、具体的には、ターゲットＳＤＡＰエンティティが確立されており、且つ設定予定のＤＲＢがターゲットＳＤＡＰエンティティに対応する全てのＤＲＢである場合、設定予定のＤＲＢ及びターゲットＳＤＡＰエンティティを削除する。
【００９９】
選択可能に、上記設定情報において、１つの設定予定のＤＲＢが１つのＳＤＡＰエンティティに対応する。
【０１００】
選択可能に、上記設定情報は、ＳＤＡＰエンティティ識別子に対応するＰＤＵセッション識別子を更に含み、それに対応し、上記機器は、ターゲットＳＤＡＰエンティティとＰＤＵセッション識別子に対応するターゲットＰＤＵセッションとの対応関係を削除する第２削除モジュールを更に含む。
【０１０１】
選択可能に、上記機器は、非アクセス層ＮＡＳエンティティに対し、ターゲットＳＤＡＰエンティティが削除されたことをＮＡＳエンティティに通知するための削除通知メッセージを送信する送信モジュールを更に含む。
【０１０２】
選択可能に、上記削除通知メッセージは、ターゲットＳＤＡＰエンティティのＳＤＡＰエンティティ識別子と、ターゲットＳＤＡＰエンティティに対応するターゲットＰＤＵセッションのＰＤＵセッション識別子と、ターゲットＳＤＡＰエンティティに対応するＤＲＢ識別子の少なくとも１つを含む。
【０１０３】
本開示の実施例に係る端末機器は、ＳＤＡＰエンティティ識別子に対応するターゲットＳＤＡＰエンティティの設定がＤＲＢの設定によって達成される。即ち、本開示の実施例において、ＳＤＡＰエンティティを暗黙的に設定することが実現され、これにより、ＳＤＡＰエンティティを設定する設定シグナリングの再送信が回避され、ＳＤＡＰエンティティを設定する設定シグナリングのオーバーヘッドが節約され、ＳＤＡＰエンティティの設定のオーバーヘッドが低減される。
【０１０４】
上記実施例に係るサービスデータ適応プロトコルＳＤＡＰエンティティの設定方法に対応し、本開示の実施例は、ネットワーク側機器を提供する。本開示の実施例に係るネットワーク側機器は、上記実施例においてネットワーク側機器によって実現される各プロセスを実現することができる。
【０１０５】
図７は、本開示の実施例に係るネットワーク側機器のモジュール構成の概略図である。図７に示すネットワーク側機器は、少なくとも、設定予定のデータ無線ベアラＤＲＢの識別子と、前記設定予定のＤＲＢに対応するＳＤＡＰエンティティ識別子とを含む設定情報を送信する送信モジュール５０１を含み、ここで、上記設定情報は、設定予定のＤＲＢ及びＳＤＡＰエンティティ識別子に対応するターゲットＳＤＡＰエンティティを端末機器が該設定情報に基づいて設定するために用いられる。
【０１０６】
選択可能に、上記設定情報は、設定予定のＤＲＢの確立を指示し、ここで、上記設定情報は、更に、ターゲットＳＤＡＰエンティティが確立されていない場合、端末機器が該設定情報に基づいて設定予定のＤＲＢを確立し、ターゲットＳＤＡＰエンティティを確立することに用いられる。
【０１０７】
選択可能に、上記設定情報は、設定予定のＤＲＢに対応する第１ＳＤＡＰエンティティをターゲットＳＤＡＰエンティティに修正することを指示し、上記設定情報は、更に、ターゲットＳＤＡＰエンティティが確立されていない場合、端末機器が該設定情報に基づいてターゲットＳＤＡＰエンティティを確立し、設定予定のＤＲＢとターゲットＳＤＡＰエンティティとの対応関係を確立することに用いられる。
【０１０８】
選択可能に、上記設定予定のＤＲＢは、第１ＳＤＡＰエンティティに対応する全てのＤＲＢである場合、上記設定情報は、更に、端末機器が該設定情報に基づいて第１ＳＤＡＰエンティティを削除することに用いられる。
【０１０９】
選択可能に、上記設定情報は、設定予定のＤＲＢの削除を指示し、ここで、上記設定情報は、更に、ターゲットＳＤＡＰエンティティが確立されており、且つ設定予定のＤＲＢが前記ターゲットＳＤＡＰエンティティに対応する全てのＤＲＢである場合、端末機器が該設定情報に基づいて設定予定のＤＲＢ及びターゲットＳＤＡＰエンティティを削除することに用いられる。
【０１１０】
選択可能に、上記設定情報において、１つの設定予定のＤＲＢが１つのＳＤＡＰエンティティに対応する。
【０１１１】
選択可能に、上記設定情報は、ＳＤＡＰエンティティ識別子に対応するプロトコルデータユニットＰＤＵセッション識別子を更に含み、上記設定情報は、更に、端末機器が該設定情報に基づいてターゲットＳＤＡＰエンティティと前記ＰＤＵセッション識別子に対応するターゲットＰＤＵセッションとの対応関係を削除することに用いられる。
【０１１２】
本開示の実施例に係るネットワーク側機器は、設定予定のＤＲＢの識別子と、該設定予定のＤＲＢに対応するＳＤＡＰエンティティ識別子とを含む設定情報を端末機器に送信することによって、端末機器は、該設定情報に基づいて、設定予定のＤＲＢを設定し、ＤＲＢの設定によって、ＳＤＡＰエンティティ識別子に対応するターゲットＳＤＡＰエンティティの設定を実現する。即ち、本開示の実施例において、ＳＤＡＰエンティティを暗黙的に設定することが実現され、これにより、ＳＤＡＰエンティティを設定する設定シグナリングを端末機器に再送信することが回避され、ＳＤＡＰエンティティを設定する設定シグナリングのオーバーヘッドが節約され、ＳＤＡＰエンティティの設定のオーバーヘッドが低減される。
【０１１３】
上記実施例に係るサービスデータ適応プロトコルＳＤＡＰエンティティの設定方法に対応し、本開示の実施例は、端末機器を提供する。本開示の実施例に係る端末機器は、上記実施例において端末機器によって実現される各プロセスを実現することができる。
【０１１４】
図８は、本開示の１つの実施例に係る端末機器の構造の概略図である。図８に示すように、該端末機器６００は、少なくとも１つのプロセッサ６０１と、メモリ６０２と、少なくとも１つのネットワークインタフェース６０４と、ユーザインタフェース６０３を含む。端末機器６００における各設定部品は、バスシステム６０５を介して結合される。バスシステム６０５は、これらの設定部品の間の接続と通信に用いられることが理解できる。バスシステム６０５は、データバスのほかに、電源バス、制御バス及び状態信号バスを更に含む。ただし、明確に説明するために、図８において、各種類のバスをすべてバスシステム６０５として標記している。
【０１１５】
ここで、ユーザインタフェース６０３は、ディスプレイ、キーボード又はポインティングデバイス（たとえばマウス、トラックボール（ｔｒａｃｋ  ｂａｌｌ））、タッチパネル又はタッチスクリーンなどを含む。
【０１１６】
本開示の実施例におけるメモリ６０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ６０２は、これらに限られず、これら及びこれら以外の任意の適合する種類のメモリを含むとする。
【０１１７】
一部実施形態において、メモリ６０２には、実行可能なモジュール又はデータ構造、又はそれらのサブセット、又は、それらの拡張セットであるオペレーションシステム６０２１とアプリケーションプログラム６０２２が記憶されている。
【０１１８】
ここで、オペレーションシステム６０２１は、フレーム層、コアライブラリ層、駆動層など各種類のシステムプログラムを含み、各種類のベーシックトラフィックの実現及びハードウェアに基づくタスクの処理に用いられる。アプリケーションプログラム６０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーショントラフィックの実現に用いられる。本開示の実施例における方法を実現するプログラムは、アプリケーションプログラム６０２２に含まれる。
【０１１９】
本開示の実施例において、端末機器６００は、メモリ６０２と、プロセッサ６０１と、メモリ６０２に格納されてプロセッサ６０１で動作可能なコンピュータプログラムを更に含み、コンピュータプログラムがプロセッサ６０１によって実行されると、設定予定のデータ無線ベアラＤＲＢの識別子と、前記設定予定のＤＲＢに対応するＳＤＡＰエンティティ識別子とを含む設定情報を受信するステップと、前記設定情報に基づいて、前記設定予定のＤＲＢと、前記ＳＤＡＰエンティティ識別子に対応するターゲットＳＤＡＰエンティティを設定するステップとが実現される。
【０１２０】
上記の本開示の実施例に開示される方法は、プロセッサ６０１に応用可能であり、又はプロセッサ６０１によって実現される。プロセッサ６０１は、信号処理能力を有するＩＣチップである。実現プロセスにおいて、上記方法の各ステップは、プロセッサ６０１におけるハードウェアの集積論理回路又はソフトウェア形式の指令によって遂行される。上記プロセッサ６０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示されるデータフロー設定方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知のコンピュータ読み取り可能な記憶媒体に位置する。該コンピュータ読み取り可能な記憶媒体は、メモリ６０２に位置する。プロセッサ６０１は、メモリ６０２における情報を読み取って、そのハードウェアと組み合わせて上記方法のステップを遂行する。具体的には、該コンピュータ読み取り可能な記憶媒体にはコンピュータプログラムが格納されており、コンピュータプログラムがプロセッサ６０１によって実行されると、上記実施例の各ステップが実現される。
【０１２１】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【０１２２】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【０１２３】
選択可能に、コンピュータプログラムがプロセッサ６０１によって実行されると、前記設定情報は、前記設定予定のＤＲＢの確立を指示し、ここで、前記設定情報に基づいて、前記設定予定のＤＲＢと、前記ＳＤＡＰエンティティ識別子に対応するターゲットＳＤＡＰエンティティを設定することは、前記ターゲットＳＤＡＰエンティティが確立されていない場合、前記設定予定のＤＲＢを確立し、前記ターゲットＳＤＡＰエンティティを確立することを含む。
【０１２４】
選択可能に、コンピュータプログラムがプロセッサ６０１によって実行されると、前記設定情報は、前記設定予定のＤＲＢに対応する第１ＳＤＡＰエンティティを前記ターゲットＳＤＡＰエンティティに修正することを指示し、ここで、前記設定情報に基づいて、前記設定予定のＤＲＢと、前記ＳＤＡＰエンティティ識別子に対応するターゲットＳＤＡＰエンティティを設定することは、前記ターゲットＳＤＡＰエンティティが確立されていない場合、前記ターゲットＳＤＡＰエンティティを確立し、前記設定予定のＤＲＢと前記ターゲットＳＤＡＰエンティティとの対応関係を確立することを含む。
【０１２５】
選択可能に、コンピュータプログラムがプロセッサ６０１によって実行されると、前記設定予定のＤＲＢは、第１ＳＤＡＰエンティティに対応する全てのＤＲＢである場合、前記方法は、前記第１ＳＤＡＰエンティティを削除することを更に含む。
【０１２６】
選択可能に、コンピュータプログラムがプロセッサ６０１によって実行されると、前記設定情報は、前記設定予定のＤＲＢの削除を指示し、ここで、前記設定情報に基づいて、前記設定予定のＤＲＢと、前記ＳＤＡＰエンティティ識別子に対応するターゲットＳＤＡＰエンティティを設定することは、前記ターゲットＳＤＡＰエンティティが確立されており、且つ前記設定予定のＤＲＢが前記ターゲットＳＤＡＰエンティティに対応する全てのＤＲＢである場合、前記設定予定のＤＲＢ及び前記ターゲットＳＤＡＰエンティティを削除することを含む。
【０１２７】
選択可能に、コンピュータプログラムがプロセッサ６０１によって実行されると、前記設定情報において、１つの設定予定のＤＲＢが１つのＳＤＡＰエンティティに対応する。
【０１２８】
選択可能に、コンピュータプログラムがプロセッサ６０１によって実行されると、前記設定情報は、前記ＳＤＡＰエンティティ識別子に対応するプロトコルデータユニットＰＤＵセッション識別子を更に含み、ここで、前記設定予定のＤＲＢ及び前記ターゲットＳＤＡＰエンティティを削除した後に、前記方法は、前記ターゲットＳＤＡＰエンティティと前記ＰＤＵセッション識別子に対応するターゲットＰＤＵセッションとの対応関係を削除することを更に含む。
【０１２９】
選択可能に、コンピュータプログラムがプロセッサ６０１によって実行されると、前記方法は、非アクセス層ＮＡＳエンティティに対し、前記ターゲットＳＤＡＰエンティティが削除されたことを前記ＮＡＳエンティティに通知するための削除通知メッセージを送信することを更に含む。
【０１３０】
選択可能に、コンピュータプログラムがプロセッサ６０１によって実行されると、前記削除通知メッセージは、前記ターゲットＳＤＡＰエンティティのＳＤＡＰエンティティ識別子と、前記ターゲットＳＤＡＰエンティティに対応するターゲットＰＤＵセッションのＰＤＵセッション識別子と、前記ターゲットＳＤＡＰエンティティに対応するＤＲＢ識別子の少なくとも１つを含む。
【０１３１】
本開示の実施例に係るサービスデータ適応プロトコルＳＤＡＰエンティティの設定方法によって、ＳＤＡＰエンティティ識別子に対応するターゲットＳＤＡＰエンティティの設定がＤＲＢの設定によって達成される。即ち、本開示の実施例において、ＳＤＡＰエンティティを暗黙的に設定することが実現され、これにより、ＳＤＡＰエンティティを設定する設定シグナリングの再送信が回避され、ＳＤＡＰエンティティを設定する設定シグナリングのオーバーヘッドが節約され、ＳＤＡＰエンティティの設定のオーバーヘッドが低減される。
【０１３２】
端末機器６００は、前記実施例において端末機器によって実現される各プロセスを実現することができるため、重複を避けるために、ここでは繰り返さない。
【０１３３】
上記実施例に係るサービスデータ適応プロトコルＳＤＡＰエンティティの設定方法に対応し、本開示の実施例は、ネットワーク側機器を提供する。本開示の実施例に係るネットワーク側機器は、上記実施例においてネットワーク側機器によって実現される各プロセスを実現することができる。
【０１３４】
図９は、本開示の１つの実施例に係るネットワーク側機器の構造の概略図である。図９に示すように、該ネットワーク側機器７００は、プロセッサ７０１と、トランシーバ７０２と、メモリ７０３と、ユーザインタフェース７０４と、バスインタフェースを含む。
【０１３５】
本開示の実施例において、ネットワーク側機器７００は、メモリ７０３に格納されてプロセッサ７０１で動作可能なコンピュータプログラムを更に含み、コンピュータプログラムがプロセッサ７０１によって実行されると、設定予定のデータ無線ベアラＤＲＢの識別子と、前記設定予定のＤＲＢに対応するＳＤＡＰエンティティ識別子とを含む設定情報を送信するステップが実現される。ここで、前記設定情報は、前記設定予定のＤＲＢ及び前記ＳＤＡＰエンティティ識別子に対応するターゲットＳＤＡＰエンティティを端末機器が前記設定情報に基づいて設定するために用いられる。
【０１３６】
図９において、バスアーキテクチャは、任意数の相互接続するバスとブリッジを含み、具体的に、プロセッサ７０１をはじめとする１つ又は複数のプロセッサとメモリ７０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７０２は、複数の部品であってもよく、即ち送信機と受信機を含み、伝送媒体でほかの各種類の装置と通信するユニットとして提供される。ユーザ端末によっては、ユーザインタフェース７０４は、内部接続や外部接続する機器のインタフェースであってもよい。接続する機器は、キーパッド、ディスプレイ、スピーカ、マイクロフォン、ジョイスティックなどを含むが、それらに限られない。
【０１３７】
プロセッサ７０１は、バスアーキテクチャと通常の処理を管理する。メモリ７０３は、プロセッサ７０１による操作実行に使用されるデータを記憶できる。
【０１３８】
選択可能に、メモリ７０３に格納されているコンピュータプログラムがプロセッサ７０１によって実行されると、前記設定情報は、前記設定予定のＤＲＢの確立を指示し、ここで、前記設定情報は、更に、前記ターゲットＳＤＡＰエンティティが確立されていない場合、端末機器が前記設定情報に基づいて前記設定予定のＤＲＢを確立し、前記ターゲットＳＤＡＰエンティティを確立することに用いられる。
【０１３９】
選択可能に、メモリ７０３に格納されているコンピュータプログラムがプロセッサ７０１によって実行されると、前記設定情報は、前記設定予定のＤＲＢに対応する第１ＳＤＡＰエンティティを前記ターゲットＳＤＡＰエンティティに修正することを指示し、ここで、前記設定情報は、更に、前記ターゲットＳＤＡＰエンティティが確立されていない場合、端末機器が前記設定情報に基づいて前記ターゲットＳＤＡＰエンティティを確立し、前記設定予定のＤＲＢと前記ターゲットＳＤＡＰエンティティとの対応関係を確立することに用いられる。
【０１４０】
選択可能に、メモリ７０３に格納されているコンピュータプログラムがプロセッサ７０１によって実行されると、前記設定予定のＤＲＢは、第１ＳＤＡＰエンティティに対応する全てのＤＲＢである場合、前記設定情報は、更に、端末機器が前記設定情報に基づいて前記第１ＳＤＡＰエンティティを削除することに用いられる。
【０１４１】
選択可能に、メモリ７０３に格納されているコンピュータプログラムがプロセッサ７０１によって実行されると、前記設定情報は、前記設定予定のＤＲＢの削除を指示し、ここで、前記設定情報は、更に、前記ターゲットＳＤＡＰエンティティが確立されており、且つ前記設定予定のＤＲＢが前記ターゲットＳＤＡＰエンティティに対応する全てのＤＲＢである場合、端末機器が前記設定情報に基づいて前記設定予定のＤＲＢ及び前記ターゲットＳＤＡＰエンティティを削除することに用いられる。
【０１４２】
選択可能に、メモリ７０３に格納されているコンピュータプログラムがプロセッサ７０１によって実行されると、前記設定情報において、１つの設定予定のＤＲＢが１つのＳＤＡＰエンティティに対応する。
【０１４３】
選択可能に、メモリ７０３に格納されているコンピュータプログラムがプロセッサ７０１によって実行されると、前記設定情報は、前記ＳＤＡＰエンティティ識別子に対応するプロトコルデータユニットＰＤＵセッション識別子を更に含み、前記設定情報は、更に、端末機器が前記設定情報に基づいて前記ターゲットＳＤＡＰエンティティと前記ＰＤＵセッション識別子に対応するターゲットＰＤＵセッションとの対応関係を削除することに用いられる。
【０１４４】
本開示の実施例において、設定予定のＤＲＢの識別子と、該設定予定のＤＲＢに対応するＳＤＡＰエンティティ識別子とを含む設定情報を端末機器に送信することによって、端末機器は、該設定情報に基づいて、設定予定のＤＲＢを設定し、ＤＲＢの設定によって、ＳＤＡＰエンティティ識別子に対応するターゲットＳＤＡＰエンティティの設定を実現する。即ち、本開示の実施例において、ＳＤＡＰエンティティを暗黙的に設定することが実現され、これにより、ＳＤＡＰエンティティを設定する設定シグナリングを端末機器に再送信することが回避され、ＳＤＡＰエンティティを設定する設定シグナリングのオーバーヘッドが節約され、ＳＤＡＰエンティティの設定のオーバーヘッドが低減される。
【０１４５】
ネットワーク側機器７００は、前記実施例においてネットワーク側機器によって実現される各プロセスを実現することができ、同じ効果を奏することもできるので、重複を避けるために、ここでは繰り返さない。
【０１４６】
本開示の実施例は、コンピュータプログラムが格納されているコンピュータ読み取り可能な記憶媒体を更に提供し、該コンピュータプログラムがプロセッサによって実行されると、上記実施例のサービスデータ適応プロトコルＳＤＡＰエンティティの設定方法の実施例の各手順が実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１４７】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１４８】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１４９】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１５０】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１５１】
また、本開示の各実施例における各機能的ユニットは、１つの処理ユニットに一体化されていてもよいし、物理的に別々に設けられていてもよいし、２つ以上が一体化されてもよい。
【０１５２】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１５３】
以上の記載は、本開示の実施例に過ぎ、本開示を制限するためのものではない。当業者にとって、本開示は、様々な変更や変形を有する。本開示の趣旨や原理内で為したあらゆる修正、均等置換及び改良は、いずれも本開示の特許請求の範囲に含まれるべきである。
【図１】
2021520133.tif 000003
【図２】
2021520133.tif 000004
【図３】
2021520133.tif 000005
【図４】
2021520133.tif 000006
【図５】
2021520133.tif 000007
【図６】
2021520133.tif 000008
【図７】
2021520133.tif 000009
【図８】
2021520133.tif 000010
【図９】
2021520133.tif 000011
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
端末機器に応用されるサービスデータ適応プロトコルＳＤＡＰエンティティの設定方法において、
設定予定のデータ無線ベアラＤＲＢの識別子と、前記設定予定のＤＲＢに対応するＳＤＡＰエンティティ識別子とを含む設定情報を受信することと、
前記設定情報に基づいて、前記設定予定のＤＲＢと、前記ＳＤＡＰエンティティ識別子に対応するターゲットＳＤＡＰエンティティを設定することとを含む、ＳＤＡＰエンティティの設定方法。
【請求項２】
前記設定情報は、前記設定予定のＤＲＢの確立を指示し、
ここで、前記設定情報に基づいて、前記設定予定のＤＲＢと、前記ＳＤＡＰエンティティ識別子に対応するターゲットＳＤＡＰエンティティを設定することは、
前記ターゲットＳＤＡＰエンティティが確立されていない場合、前記設定予定のＤＲＢを確立し、前記ターゲットＳＤＡＰエンティティを確立することを含む、請求項１に記載のＳＤＡＰエンティティの設定方法。
【請求項３】
前記設定情報は、前記設定予定のＤＲＢに対応する第１ＳＤＡＰエンティティを前記ターゲットＳＤＡＰエンティティに修正することを指示し、
ここで、前記設定情報に基づいて、前記設定予定のＤＲＢと、前記ＳＤＡＰエンティティ識別子に対応するターゲットＳＤＡＰエンティティを設定することは、
前記ターゲットＳＤＡＰエンティティが確立されていない場合、前記ターゲットＳＤＡＰエンティティを確立し、前記設定予定のＤＲＢと前記ターゲットＳＤＡＰエンティティとの対応関係を確立することを含む、請求項１に記載のＳＤＡＰエンティティの設定方法。
【請求項４】
前記設定予定のＤＲＢは、第１ＳＤＡＰエンティティに対応する全てのＤＲＢである場合、
前記第１ＳＤＡＰエンティティを削除することを更に含む、請求項３に記載のＳＤＡＰエンティティの設定方法。
【請求項５】
前記設定情報は、前記設定予定のＤＲＢの削除を指示し、
ここで、前記設定情報に基づいて、前記設定予定のＤＲＢと、前記ＳＤＡＰエンティティ識別子に対応するターゲットＳＤＡＰエンティティを設定することは、
前記ターゲットＳＤＡＰエンティティが確立されており、且つ前記設定予定のＤＲＢが前記ターゲットＳＤＡＰエンティティに対応する全てのＤＲＢである場合、前記設定予定のＤＲＢ及び前記ターゲットＳＤＡＰエンティティを削除することを含む、請求項１に記載のＳＤＡＰエンティティの設定方法。
【請求項６】
前記設定情報において、１つの設定予定のＤＲＢが１つのＳＤＡＰエンティティに対応する、請求項１〜５のいずれか一項に記載のＳＤＡＰエンティティの設定方法。
【請求項７】
ネットワーク側機器に応用されるサービスデータ適応プロトコルＳＤＡＰエンティティの設定方法において、
設定予定のデータ無線ベアラＤＲＢの識別子と、前記設定予定のＤＲＢに対応するＳＤＡＰエンティティ識別子とを含む設定情報を送信することを含み、
ここで、前記設定情報は、前記設定予定のＤＲＢ及び前記ＳＤＡＰエンティティ識別子に対応するターゲットＳＤＡＰエンティティを端末機器が前記設定情報に基づいて設定するために用いられる、ＳＤＡＰエンティティの設定方法。
【請求項８】
前記設定情報は、前記設定予定のＤＲＢの確立を指示し、
ここで、前記設定情報は、更に、前記ターゲットＳＤＡＰエンティティが確立されていない場合、端末機器が前記設定情報に基づいて前記設定予定のＤＲＢを確立し、前記ターゲットＳＤＡＰエンティティを確立することに用いられる、請求項７に記載のＳＤＡＰエンティティの設定方法。
【請求項９】
前記設定情報は、前記設定予定のＤＲＢの削除を指示し、
ここで、前記設定情報は、更に、前記ターゲットＳＤＡＰエンティティが確立されており、且つ前記設定予定のＤＲＢが前記ターゲットＳＤＡＰエンティティに対応する全てのＤＲＢである場合、端末機器が前記設定情報に基づいて前記設定予定のＤＲＢ及び前記ターゲットＳＤＡＰエンティティを削除することに用いられる、請求項７に記載のＳＤＡＰエンティティの設定方法。
【請求項１０】
前記設定情報において、１つの設定予定のＤＲＢが１つのＳＤＡＰエンティティに対応する、請求項７〜９のいずれか一項に記載のＳＤＡＰエンティティの設定方法。
【請求項１１】
設定予定のデータ無線ベアラＤＲＢの識別子と、前記設定予定のＤＲＢに対応するＳＤＡＰエンティティ識別子とを含む設定情報を受信する受信モジュールと、
前記設定情報に基づいて、前記設定予定のＤＲＢと、前記ＳＤＡＰエンティティ識別子に対応するターゲットＳＤＡＰエンティティを設定する設定モジュールとを含む、端末機器。
【請求項１２】
前記設定情報は、前記設定予定のＤＲＢの確立を指示し、
ここで、前記設定モジュールは、
前記ターゲットＳＤＡＰエンティティが確立されていない場合、前記設定予定のＤＲＢを確立し、前記ターゲットＳＤＡＰエンティティを確立する、請求項１１に記載の端末機器。
【請求項１３】
設定予定のデータ無線ベアラＤＲＢの識別子と、前記設定予定のＤＲＢに対応するＳＤＡＰエンティティ識別子とを含む設定情報を送信する送信モジュールを含み、
ここで、前記設定情報は、前記設定予定のＤＲＢ及び前記ＳＤＡＰエンティティ識別子に対応するターゲットＳＤＡＰエンティティを端末機器が前記設定情報に基づいて設定するために用いられる、ネットワーク側機器。
【請求項１４】
前記設定情報は、前記設定予定のＤＲＢの確立を指示し、
ここで、前記設定情報は、更に、前記ターゲットＳＤＡＰエンティティが確立されていない場合、端末機器が前記設定情報に基づいて前記設定予定のＤＲＢを確立し、前記ターゲットＳＤＡＰエンティティを確立することに用いられる、請求項１３に記載のネットワーク側機器。
【請求項１５】
コンピュータプログラムが格納されているコンピュータ読み取り可能な記憶媒体であって、
前記コンピュータプログラムがプロセッサによって実行されると、請求項１〜６のいずれか一項に記載のＳＤＡＰエンティティの設定方法が実現される、
又は、
前記コンピュータプログラムがプロセッサによって実行されると、請求項７〜１０のいずれか一項に記載のＳＤＡＰエンティティの設定方法が実現される、コンピュータ読み取り可能な記憶媒体。
【手続補正２】
【補正対象書類名】明細書
【補正対象項目名】００１７
【補正方法】変更
【補正の内容】
【００１７】
以下、本願の実施例の図面とともに、本願の実施例の技術手段を明確に記載する。明らかに、記載する実施例は、本願の実施例の一部であり、全てではない。本願の実施例に基づき、当業者が為しえる全ての他の実施例は、いずれも本願の保護範囲に属するものである。明細書及び特許請求の範囲に使用される「及び／又は」は、連結対象の少なくとも１つを示す。
【手続補正３】
【補正対象書類名】明細書
【補正対象項目名】００３０
【補正方法】変更
【補正の内容】
【００３０】
具体的には、本開示の実施例において、上記の設定予定のＤＲＢの設定は、設定予定のＤＲＢの削除又は確立、設定予定のＤＲＢに対応するＳＤＡＰエンティティの修正などを含む。上記のＳＤＡＰエンティティ識別子に対応するターゲットＳＤＡＰエンティティの設定は、ターゲットＳＤＡＰエンティティの削除、ターゲットＳＤＡＰエンティティの確立などを含む。
【手続補正４】
【補正対象書類名】明細書
【補正対象項目名】０１５３
【補正方法】変更
【補正の内容】
【０１５３】
以上の記載は、本開示の実施例に過ぎ、本開示を制限するためのものではない。当業者にとって、本開示は、様々な変更や変形を有する。
【国際調査報告】
2021520133.tif 000012
2021520133.tif 000013
2021520133.tif 000014
2021520133.tif 000015
2021520133.tif 000016
2021520133.tif 000017